(57)【特許請求の範囲】
【請求項１】
壁に固定される基板部と、この基板部から水平断面コ字形に突出して上面から見て矩形開口を形成するフック受け部とを備えた第１金具と、壁掛物品側に固定される基板部と、この基板部から垂直断面逆Ｌ字形に突出して前記矩形開口に上方から挿入されるフック片とを備えた第２金具とで構成される壁掛用金具ユニットにおいて、
前記フック受け部に、その上端縁側が開いた概ねＶ字状をなすＶ字形案内溝と、その下部に連続する屈曲溝と、さらにその下部に連続する、上端縁が抜け止めとして機能する垂直な縦溝とからなる案内兼抜け止め用溝を形成し、
前記フック片の先端近傍に、前記案内兼抜け止め用溝に挿通可能な、壁掛物品側に突出する突起を形成したことを特徴とする壁掛用金具ユニット。
【請求項２】
前記フック片はその先端方向に行くに従ってカーブして窄まる形状であることを特徴とする請求項１に記載の壁掛用金具ユニット。
【発明の詳細な説明】
【０００１】
【発明の属する技術分野】
この発明は、例えば壁掛け式の液晶表示装置や掛け時計等の壁掛物品を壁に取り付けるために用いる壁掛用金具ユニットに関する。
【０００２】
【従来の技術】
従来より、壁掛け式にした液晶表示装置や掛け時計等の壁掛物品を壁に取り付ける際に使用される金具ユニットとして、図５〜図７に示すような一対の金具１、２からなるものがある。図５は壁に取り付けられる壁側金具１、図６は壁掛物品に取り付けられる物品側金具２をそれぞれ示す図であり、図７は両金具１、２を実際に使用した状態の縦断面図である。
【０００３】
前記壁側金具１は四角形の基板部１ｃと、この基板部１ｃから水平断面コ字形に突出して上面から見て矩形開口１ａを形成するフック受け部１ａとを備え、物品側金具２は、同じく四角形の基板部２ｃと、この基板部２ｃから垂直断面逆Ｌ形に突出して前記矩形開口１ａに上方から挿入されるフック片２ａとを備えている。３は壁、４は壁掛物品である。
【０００４】
壁掛物品を壁に掛ける際、物品裏面に取り付けた物品側金具２のフック片２ａを壁側金具１の矩形開口１ａに挿入し下降させると、図７に示すように、フック片２ａの上部内面２ｂが壁側金具１のフック受け部１ａの上端縁１ｂに当たって、物品側金具２が壁側金具１に取り付けられる。
【０００５】
【発明が解決しようとする課題】
上記のような金具ユニットは、壁掛物品を掛ける時にはその物品の陰になって見えないので、物品側金具２のフック片２ａが壁側金具１の矩形開口１ａに対して幅方向にずれて容易に入らず、取り付けに手間取ることもある。
また、人による不慮の接触や地震等で物品４および物品側金具１が容易に上方にスライドして、フック片２ａが壁側金具１のフック受け部１ａから外れてしまい、物品が落下してしまう恐れもある。
【０００６】
本発明は上記従来の欠点を解消するためになされたもので、壁掛物品を壁掛けする操作が容易であり、かつ掛けた後は不測に外れる恐れの少ない壁掛け用金具ユニットを提供することを目的とする。
【０００７】
【課題を解決するための手段】
上記課題を解決する本発明は、壁に固定される基板部と、この基板部から水平断面コ字形に突出して上面から見て矩形開口を形成するフック受け部とを備えた第１金具と、壁掛物品側に固定される基板部と、この基板部から垂直断面逆Ｌ字形に突出して前記矩形開口に上方から挿入されるフック片とを備えた第２金具とで構成される壁掛用金具ユニットにおいて、前記フック受け部に、その上端縁側が開いた概ねＶ字状をなすＶ字形案内溝とその下部に連続する屈曲溝とさらにその下部に連続する、上端縁が抜け止めとして機能する垂直な縦溝とからなる案内兼抜け止め用溝を形成し、前記フック片に、前記案内兼抜け止め用溝に挿通される突起を形成したことを特徴とする。
【０００８】
請求項２の壁掛用金具ユニットは、請求項１におけるフック片が、その先端方向に行くに従ってカーブして窄まる形状であることを特徴とする。
【０００９】
【発明の実施の形態】
以下、本発明の実施の形態を図１〜図４を参照して説明する。図１は本発明に係る金具ユニットを構成する壁側金具１０と物品側金具２０とを、両者を外した状態で示した斜視図、図２（Ａ）は壁側金具１０の正面図、図２（Ｂ）は同平面図、図３（Ａ）は物品側金具２０の正面図、図３（Ｂ）は同平面図、図４は実際に両金具１０、２０を使用した状態の縦断面図である。
【００１０】
前記壁側金具１０は一枚の鋼板を切断、穴あけ、絞り、折り曲げ加工したものであって、壁３側に固定される四角形の基板部１１と、この基板部１１から水平断面コ字形に突出して上面から見て矩形開口１２を形成するフック受け部１３とを備え、このフック受け部１３には、その上端縁１３ａ側が開いた概ねＶ字状をなすＶ字形案内溝１４と、その下部に連続するく字形の屈曲溝１５と、さらにその下部に連続する垂直な縦溝１６とからなる案内兼抜け止め用溝３０が形成されている。前記縦溝１６の上端縁１６ａは、後述するように抜け止めとして機能する。さらに、基板部１１の一部を切り起こして傾き防止用突起１７を形成し、基板部１１の四隅にビス孔１８をあけている。
【００１１】
一方、物品側金具２０も壁側金具１０と同様に一枚の鋼板を加工したものであって、物品４側に固定される四角形の基板部２１と、この基板部２１から垂直断面逆Ｌ字形に突出して壁側金具１０の矩形開口１２に上方から挿入されるフック片２２とを備えている。フック片２２の下縁部２３は、ほぼ放物線形状にカーブして窄まった形状をなし、この下縁部２３の中央に、壁掛物品４側に折り曲げられた突起２４が形成されている。この突起２４は、後述するように壁側金具１０のフック受け部１３の前記案内兼抜け止め用溝３０に挿通される。また、基板部２１の四隅にビス孔２５をあけている。
【００１２】
次に、壁掛物品４を壁３に取り付ける際に、壁掛物品３の背面に固定された物品側金具２０を、壁３に固定した壁側金具１０に引っ掛ける操作を説明する。
使用者が壁掛物品４を持ち上げて、当該物品に固定された物品側金具２０を、壁３に固定された壁側金具１０の上方へ持っていく。次いで、物品側金具２０を徐々に降ろしてフック片２２を壁側金具１０のフック受け部１３の内側の矩形開口１２まで持っていく。
使用者にとってこれら金具１０、２０は壁掛物品の裏面に位置するので見えず、従って、使用者はフック片２２の降ろす位置の見当をつけて行わなければならない。しかし、フック片２２が横方向に多少ずれてその下縁部２３がフック受け部１３の上端縁１３ａの左右部に当たるようなことがあっても、下縁部２３のカーブ形状により、フック受け部１３の上端縁１３ａの左右部に引っかかることなく挿入動作は進行する。
その後、フック片２２の突起２４がＶ字形案内溝１４の縁に当たるが、ここでも突起２４はＶ字形案内溝１４の傾斜形状のために引っかかることはなく、Ｖ字形案内溝１４に沿って下降し、次いで、くの字状の屈曲溝１５に沿って下降し、その間突起２４と一体のフック片２２が同時に下降し、突起２４が縦溝１６にまで達すると、フック片２２の上部内面２２ａがフック受け部１３の上端縁１３ａに突き当たって、フック片２２がフック受け部１３に支持され、こうして、物品側金具２０が壁側金具１０に掛けられ、壁掛物品４が壁３に取り付けられる。この時、突起２４は縦溝１６の下方に位置しているが、下端縁に接触はしていない。
また、壁側金具１０側の傾き防止用突起１７は、これに物品側金具２０の基板部２１が当たることで、物品側金具２０の下部が物品の自重で壁３側に傾斜することを防止する。
【００１３】
上記のように、フック片２２をフック受け部１３の内側のクランプか２に挿入する際、フック片２２側の突起２４がフック受け部１３側のＶ字形案内溝１４に案内されるので、物品側金具２０を壁側金具１０に掛ける操作は容易である。
また、上記のように両金具１０、２０が係合した状態では、人による不慮の接触や地震等により壁掛物品４及び物品側金具２０に上向きの外力が加わったとしても、突起２４が縦溝１６の水平な上端縁１６ａに当たり、この上端縁１６ａは突起２４が上方にスライドすることを規制するので、フック片２２がフック受け部１３から抜け出ることはない。
【００１４】
物品側金具２０を壁側金具１０から引き抜く動作は、上述の挿入動作と逆であり、物品側金具２０を持ち上げる際、突起２４を縦溝１６の上端縁１６ａに当てた後、横にずらし、屈曲溝１５に沿わせながら上方に引き抜いていくと、物品側金具２０を壁側金具１０から容易に外すことができる。
【００１５】
なお、上記実施形態においては壁側金具１０にフック受け部１３を設け、物品側金具２０にフック片２２を設ける構成としたが、これと上下を逆にして、壁側金具にフック片を設け、物品側金具にフック受け部を設けた構成にすることも考えられる。
また、実施形態では、壁側金具および物品側金具をいずれも一枚物の金属板から製作するものとしたが、別々の部材を溶接固定する等して製作してもよい。また、金属板に限らず、樹脂製であってもよい。
また、案内兼抜け止め用溝を構成するＶ字形案内溝および屈曲溝および縦溝は、必ずしも実施形態の形状に限定されるものではない。
【００１６】
【発明の効果】
本発明の壁掛用金具ユニットによれば、次のような効果が得られる。
▲１▼物品側金具を壁側金具に掛けるために、フック片をフック受け部の内側の矩形開口に挿入する際、フック片と一体の突起がフック受け部のＶ字形案内溝に案内されるので、フック片が幅方向に若干位置ずれしていても、円滑に矩形開口に挿入することができ、したがって、物品側金具を壁側金具に引っ掛ける操作が容易になるという効果を奏する。
▲２▼物品側金具に上向きの外力が働いても、物品側金具のフック片と一体の突起が壁側金具のフック受け部側の縦溝の上端縁に当たるので、フック片の上向きのスライドが規制され、したがって、物品側金具が壁側金具から簡単に抜け出ることは防止されるという効果を奏する。
【００１７】
また、請求項２によれば、物品側金具のフック片が先すぼまり状をなすので、、フック片が幅方向に若干位置ずれしていても、フック受け部の内側の矩形開口に円滑に挿入できるという効果が一層高くなる。
なお、上述の効果は、壁側金具にフック片を設け物品側金具にフック受け部を設けた逆の構成の場合にも同様に得られる。
【図面の簡単な説明】
【図１】本発明の一実施形態の壁掛用金具ユニットの斜視図である。
【図２】（Ａ）は壁側金具の平面図、（Ｂ）は壁側金具の平面図である。
【図３】（Ａ）は物品側金具の平面図、（Ｂ）は物品側金具の平面図である。
【図４】壁側金具に物品側金具を挿入した状態の縦断面図である。
【図５】従来の従来の壁掛用金具ユニットの壁側金具を示すもので、（Ａ）は正面図、（Ｂ）は平面図である。
【図６】従来の壁掛用金具ユニットの物品側金具を示すもので、（Ａ）は正面図、（Ｂ）は平面図である。
【図７】図５および図６の金具からなる壁掛用金具ユニットの使用状態の縦断面図である。
【符号の説明】
３      壁
４      壁掛物品
１０    壁側金具
１１    基板部
１２    矩形開口
１３    フック受け部
１３ａ  上端縁
１４    Ｖ字形案内溝
１５    屈曲溝
１６    縦溝
１６ａ  縦溝の上端縁
１７    傾き防止用突起
２０    物品側金具
２１    基板部
２２    フック片
２３    下縁部
２４    突起
【図１】
0004336861.tif 000002
【図２】
0004336861.tif 000003
【図３】
0004336861.tif 000004
【図４】
0004336861.tif 000005
【図５】
0004336861.tif 000006
【図６】
0004336861.tif 000007
【図７】
0004336861.tif 000008